(57)【要約】【課題】ボールを用いてゴルフや野球を練習する際に、誤ってボールが窓のガラスに当たり、ガラスを破壊することを防ぐガラス防護用器具であって、特に、設置作業が容易であり、移動や収納の面で優れた特性を有し、さらに外観面でも優れて多目的に使用できるガラス防護用器具を提供すること。【解決手段】フレーム体２と、該フレーム体２に装着される受球材５とを備えるガラス防護用器具１において、前記フレーム体２に、フレーム体２の立設状態を保持するフレーム防倒体１０を着脱自在に装着したことを特徴とする。前記受球材５はネット体であり、前記フレーム防倒体１０は、再生プラスチックにて形成されている。また前記フレーム防倒体１０は、植物育成用のプランター、または球体収納具を兼ねる。【選択図】図１
0003162968.tif 000002
【実用新案登録請求の範囲】
【請求項１】
フレーム体と、該フレーム体に装着される受球材とを備えるガラス防護用器具において、
前記フレーム体に、該フレーム体の立設状態を保持するフレーム防倒体を着脱自在に装着したことを特徴とするガラス防護用器具。
【請求項２】
前記受球材がネット体である請求項１記載のガラス防護用器具。
【請求項３】
前記フレーム防倒体が、再生プラスチックにて形成されている請求項１または２記載のガラス防護用器具。
【請求項４】
前記フレーム防倒体が、植物育成用のプランターを兼ねる請求項１〜３のうち何れか一項に記載のガラス防護用器具。
【請求項５】
前記フレーム防倒体が、球体収納具を兼ねる請求項１〜３のうち何れか一項に記載のガラス防護用器具。
【請求項６】
前記フレーム防倒体が、前記フレーム体に少なくとも１体以上装着される請求項１〜５のうち何れか一項に記載のガラス防護用器具。
【考案の詳細な説明】
【技術分野】
【０００１】
本考案は、ガラスが用いられている建築物の近辺でボールを用いてゴルフや野球の練習をする際に、誤ってボールが窓等のガラスに当たり、ガラスを破壊することを防ぐガラス防護用器具であり、特に、移動や設置作業を簡便にするとともに、多目的に使用することができるガラス防護用器具に関する。
【背景技術】
【０００２】
自宅の庭等でボールを用いてゴルフや野球のスイングの練習をする際、ボールが周りの人やガラス窓に当たるのを防ぐために、フレームにネットを装着したガラス防護用器具が使用される。一般的なガラス防護用器具は、平板矩形状を有するフレームと、このフレームに取り付けられてボールの通過を防ぐネット材とを備えている。このガラス防護用器具は、防護するガラスよりも練習者から見て手前側において、フレームの一辺が地面に接して下辺となり、これに対向する一辺が地面から垂直方向に位置して上辺となるように立設され、その状態をフレームの上辺の両端部近傍にそれぞれ固着させたロープを杭にて地面に固定することにより保持していた。
【０００３】
また、ガラス防護用器具に関連した器具として、野球のティーバッティング練習用受球ネットに関し、ネットが取り付けられたフレームの下部に、このネットに連結する集球スロープを有するものがある（特許文献１）。このティーバッティング練習用受球ネットでは、集球スロープによって、ティーバッティング練習者がネット内に打ち込んだボールが、自動的にトスをする人の足元に集まるような構造となっており、これにより、ボールを回収する労力と時間を無くし、より充実したバッティング練習に励めるようにしている。
【先行技術文献】
【特許文献】
【０００４】
【特許文献１】実用新案登録第３１３３５７５号公報
【考案の概要】
【考案が解決しようとする課題】
【０００５】
一般的なガラス防護用器具は、フレームを固定する際、ロープを用いてフレームが倒れないように地面に固定するため、固定作業が困難な場合があった。また、コンクリート上のように、地面の固い場所では固定自体が不可能という問題があった。
【０００６】
また、特許文献１のティーバッティング練習用受球ネットにおいては、構造が複雑であるためコストアップの要因となるとともに、移動や保管・収納面での問題、またティーバッティング練習用の器具であるため、他の目的では利用できない等の問題があった。
【０００７】
そこで本考案の目的は、上記問題点を解消し、ボールを用いてゴルフや野球を練習する際に、誤ってボールが窓等の建築物のガラスに当たり、ガラスを破壊することを防ぐガラス防護用器具であって、特に、設置作業が容易であり、移動や収納の面で優れた特性を有し、さらに外観面でも優れて多目的に使用できるガラス防護用器具を提供することにある。
【課題を解決するための手段】
【０００８】
本考案は上記課題を解決するために、フレーム体と、該フレーム体に装着される受球材とを備えるガラス防護用器具において、前記フレーム体に、該フレーム体の立設状態を保持するフレーム防倒体を着脱自在に装着したことを特徴とする。
【０００９】
前記受球材はネット体とすることができ、また、前記フレーム防倒体は、再生プラスチックにて形成することが好ましい。
【００１０】
更に、前記フレーム防倒体は植物育成用のプランターを兼ねる構成とすることができ、また、前記フレーム防倒体は球体収納具を兼ねる構成とすることもできる。更に、前記フレーム防倒体は、前記フレーム体に少なくとも１体以上を装着されるものである。
【考案の効果】
【００１１】
本考案によれば、受球材を装着したフレーム体に、再生プラスチック等からなるフレーム防倒体を着脱自在に装着したことで、製造コストの削減や作業性の向上を実現することができる。またフレーム防倒体を植物育成用のプランターや球体収納具として使用することにより、応用範囲の拡大が可能になる。
【図面の簡単な説明】
【００１２】
【図１】本考案のガラス防護用器具の一実施形態の全体斜視図である。
【図２】図１におけるフレーム防倒体の装着手段の一例を示す断面図である。
【図３】フレーム防倒体の装着手段の別の例を示す断面図である。
【図４】本考案のガラス防護用器具の使用例を示す説明図である。
【図５】本考案のガラス防護用器具の別の実施形態の全体斜視図である。
【図６】従来のガラス防護用器具の斜視図である。
【考案を実施するための形態】
【００１３】
以下、本考案におけるガラス防護用器具の実施の形態を図面に基づいて説明する。
本考案のガラス防護用器具は、自宅の庭等でボールを用いてゴルフや野球のスイングの練習をする際、ボールが周りの人やガラス窓等に当たるのを防ぐために、練習者から見て窓ガラスの前方に配設されるものであり、設置作業が容易であり、移動や収納の面で優れた特性を有し、さらに外観面でも優れて多目的に使用できるものである。
【００１４】
図１に示すガラス防護用器具１は、フレーム体２と、該フレーム体２に装着される受球材５とを備えており、このフレーム体２に、該フレーム体２の立設状態を保持するフレーム防倒体１０を着脱自在に装着している。
【００１５】
図１に示したフレーム体２は、例えば、強度を有する金属にて形成されており、全体が平板矩形状を呈している。また、フレーム体２は、このフレーム体２の矩形状を形成する外枠材３と、この外枠材３の略中央付近で、外枠材の上辺部と下辺部とを掛け渡して外枠材を補強する二本の中間部材４からなっている。この中間部材４同士の間隔は、装着されるフレーム防倒体１０の幅と同じ又はそれ以下としている。なお、図示した本実施形態における中間部材４は、図１に示した例に限定されず、例えば、中間部材の数は１本又は３本以上でもよく、また、図１のように垂直方向に延在する例だけでなく、例えば水平方向に延在する中間部材であってもよい。
【００１６】
フレーム体２には、スイング練習の際、ボールが誤った方向に飛んで窓ガラスＧを破損させることを防ぐために、フレーム体２の枠内でのボールの通過を防ぐ受球材５が装着されている。かかる受球材５は、打球の衝撃に耐える強度や耐候性を有する素材、例えば、ネット材、ビニールシート、布シート等が挙げられる。特に本考案においては、軽量で通風性に優れたネット材を用いることが、より好ましい。この受球材５は、フレーム体２に、打球の衝撃を吸収するような緩い張力で取り付けることが好ましい。
【００１７】
フレーム防倒体１０は、フレーム体２の立設状態を保持するものであり、通常は地面に置かれた状態でフレーム体２の下部に着脱自在に装着されている。フレーム防倒体１０は、フレーム体２が倒れるのを防止するのに十分な、適宜な大きさと安定した重量とを備えることが好ましい。
【００１８】
フレーム防倒体１０をフレーム体２に着脱自在に装着する装着手段は、特に限定するものではないが、例えば図２の断面図で示すように、フレーム防倒体１０とフレーム体２の中間部材４とを、連結具１１を介してネジ６によりネジ結合することにより、両者を着脱自在に連結することができる。
【００１９】
また、図３の断面図に示すように、フレーム防倒体１０の側面に、断面コ字形状の第一連結具１２を取りつけ固定する一方で、中間部材４に、前記第一連結具１２の鉤状先端部１３を挿脱可能な開口部１５を有する第二連結具１４を取りつけ固定した構造とすることもできる。図３の構成では、第一連結具１２の鉤状先端部１３を、第二連結具１４の開口部１５に挿着させることで、フレーム防倒体１０をフレーム体２に容易に着脱自在に装着させることができる。
【００２０】
このフレーム防倒体１０の素材は、特に限定するものではないが、再生プラスチックによって形成することが好ましい。これは、フレーム防倒体１０を、廃棄処分されたプラスチック素材からなる部材を加工再生して形成したものとすることで、製造コストや環境面で優れた効果を発揮できるからである。
【００２１】
図示したフレーム防倒体１０は、上部が開放されている箱型形状を有している。かかる箱型形状を有することにより、フレーム防倒体１０の内側空間に、土や石等の重量物を装入して、フレーム体２の立設状態を、より安定して保持することが可能となる。
【００２２】
また特に、図１〜３に示すように箱型のフレーム防倒体１０の内部空間に土Ｓを収容し、この土Ｓに観賞植物Ｐ等を植えることで、フレーム防倒体１０は、植物育成用のプランターとして使用することができる。これにより、本考案のガラス防護用器具１は、ガーデニング的要素を兼ね備えることができる。
【００２３】
なお、図示したフレーム防倒体１０は、外側面が平滑な無模様に形成されているが、これに限らず、外側面に凹凸加工からなる様々なデザインを施してもよい。
【００２４】
、
本実施形態のガラス防護用器具１の使用状態を図４を用いて説明する。図４は、練習者ｈがゴルフの練習者である例であって、ガラス防護用器具１は、練習者ｈと建築物のガラスＧとの間に設けられている。図示したようにガラス防護用器具１を配設することにより練習者ｈが誤ってボールｂをガラスＧ方向に打ったとしても、ボールｂがガラスＧを破壊することを防止することができる。そして、このガラス防護用器具１は、フレーム体２にフレーム防倒体１０を装着しているので、設置・固定作業が容易であり、移動や収納も容易である。また、コンクリート上のように、地面の固い場所でもガラス防護用器具１を設けることができる。更に、フレーム防倒体１０を再生プラスチック等からなるフレーム防倒体１０を着脱自在に装着したことで、製造コストの削減や作業性の向上を実現することができる。
【００２５】
次に、本考案のガラス防護用器具の別の実施形態を説明する。図５に示すガラス防護用器具２１は、フレーム体２２と、該フレーム体２２に装着される受球材２５とを備えており、このフレーム体２２に、該フレーム体２２の立設状態を保持するフレーム防倒体１０を着脱自在に装着している。
【００２６】
また、受球材２５の中央部には、開口部７が形成され、この開口部７に筒状の補助ネット８が連結されている。補助ネット８の先端の開口は、開口部７の下方に配設された箱型形状を有するフレーム防倒体１０の内部空間に導かれている。
【００２７】
また、フレーム体２２から見てフレーム防倒体１０が配設されている側とは反対側に、
傾斜板９をフレーム体２２の下部に取り付けている。この傾斜板９は、一例として矩形の枠体と、この枠体に取り付けられたネットとを備えている。図示した本実施形態では、傾斜板９の枠体におけるフレーム体２２と接する一辺９ａは、フレーム体２２の中間部材を兼ねる構成としている。また、傾斜板９は、フレーム体２２と接する一辺９ａと対向する一辺が、地面に接するように、フレーム体２２に対して傾斜して取り付けられている。また、傾斜板９は、フレーム体２２と接する一辺９ａを回転軸として、回動可能な構成とすることもできる。
【００２８】
フレーム防倒体１０は、フレーム体２２の中間部材を兼ねる、傾斜板９のフレーム体２２と接する一辺９ａに着脱可能に装着されている。装着手段は、先に説明した実施形態において図２又は図３を用いて説明したのと同じ手段を用いることができるが、これらの手段に限定されない。
【００２９】
このような本実施形態の構成により、ガラス防護用器具２１は、防護するガラスよりも手前に配設することより、先に説明した実施形態と同様にガラスの防護に用いることができ、先に説明した実施形態と同様の効果を備えている。そればかりでなく、本実施形態のガラス防護用器具２１は、フレーム防倒体１０を、球体収納具としても用いることができる。すなわち、ガラス防護用器具２１は、傾斜板９が取り付けられた側を利用者に対向するようにして、この状態で、利用者がフレーム防倒体１０の反対側より開口部７に向けて球体ｂ（例えばゴルフボール）を打ち込むことで、球体ｂが散乱することがなくフレーム防倒体１０内に収容されるので、フレーム防倒体１０は、球体収納具の役割を果たし、効率よいスイング練習を行うことができる。
【００３０】
本考案のガラス防護用器具１、２１の効果をより明確にするために、従来の一般的なガラス防護用器具１０１を図６に示す。図６のガラス防護用器具１０１は、平板矩形状を有するフレーム１０２と、このフレーム１０２に取り付けられて当該フレーム１０２内に向かって飛翔するボールの通過を防ぐネット材１０３とを備えている。このガラス防護用器具１０１は、防護するガラスよりも練習者から見て手前側において、フレーム１０２の一辺が地面に接して下辺となり、これに対向する一辺が地面から垂直方向に位置して上辺となるように立設され、その状態をフレーム１０２の上辺の両端部近傍にそれぞれ固着させたロープ１０４を杭１０５にて地面に固定することにより保持していた。
【００３１】
図６に示した一般的なガラス防護用器具１０１では、フレーム１０２を固定する際、ロープ１０４を用いてフレーム１０２が倒れないように地面に固定するため、固定作業が困難な場合があった。また、コンクリート上のように、地面の固い場所では固定自体が不可能という問題があった。これに対して、本考案のガラス防護用器具１、２１は、既に述べたとおり固定作業が容易であり、また、コンクリート上でも固定することができるので、一般的なガラス防護用器具１０１に対する有利さは明らかである。
【００３２】
以上、図面を用いて本考案のガラス防護用器具の実施形態について説明したが、本考案のガラス防護用器具は、上記の実施形態及び図面の記載に限定されることなく、本明細書及び図面に記載された趣旨を逸脱しない範囲内で、幾多の変形が可能である。
【００３３】
例えば、フレーム防倒体１０は、フレーム体２、２２に少なくとも一体以上装着される。すなわち、図面中、フレーム防倒体１０は、フレーム体２、２２の下部中央に一体が装着されているが、これに限らず、フレーム体２、２２の長手方向に複数個で装着することもできる。また、フレーム体２、２２を挟んでフレーム体２、２２の両側に複数装着することで、より高い安定性を得ることができる。
【００３４】
なお、本考案のガラス防護用器具１、２１は、フレーム体２２の立設強度を高めるために、ロープを用いて補助的に地面に固定してもよい。
【符号の説明】
【００３５】
１  ガラス防護用器具
２  フレーム体
３  外枠体
４  中間部材
５  受球材
６  ネジ
７  開口部
８  補助ネット
９  傾斜板
１０  フレーム防倒体
１１  連結具
１２  第一連結具
１３  鉤状先端部
１４  第二連結具
１５  開口部
２１  ガラス防護用器具
２２  フレーム体
２５  受球材
【図１】
0003162968.tif 000003
【図２】
0003162968.tif 000004
【図３】
0003162968.tif 000005
【図４】
0003162968.tif 000006
【図５】
0003162968.tif 000007
【図６】
0003162968.tif 000008